(57)【要約】【課題】光ピックアップ装置において、対物レンズ部からの迷光による対物レンズ部の姿勢および位置の制御の誤差を低減させるようにする。【解決手段】光源１からの光１０をディスク６に向けて収束させるための対物レンズ部３と、ディスク６で反射し対物レンズ部３を通過した反射光２０を、対物レンズ部３の姿勢および位置の制御のために受光する受光素子５を備える。対物レンズ部３は、ディスク側の対物レンズａと、光源側の、外周にフランジｄを有した色消しレンズｂとを備える。光源１からの光がフランジｄに入射することにより生成される反射光が受光素子５に集光することを防止する集光防止手段を備える。フランジｄの表面が、傾斜して形成されるかまたは光源１からの光を乱反射させる粗面とされることで、あるいは、フランジｄの表面に、光源１からの光を吸収する光吸収部を形成することで、集光防止手段を構成する。【選択図】図１
2007335036.tif 000002
【特許請求の範囲】
【請求項１】
光源からの光をディスクに向けて収束させるための対物レンズ部と、前記ディスクで反射し対物レンズ部を通過した反射光を、前記対物レンズ部の姿勢および位置の制御のために受光する受光素子とを備え、前記対物レンズ部はディスク側の対物レンズと光源側の色消しレンズとを備え、前記色消しレンズは外周にフランジを備え、前記光源からの光がフランジに入射することにより生成される反射光が前記受光素子に集光することを防止する集光防止手段を備えることを特徴とする光ピックアップ装置。
【請求項２】
集光防止手段は、フランジの表面が傾斜して形成されることにより、このフランジからの反射光が受光素子に集光することを防止するものであることを特徴とする請求項１記載の光ピックアップ装置。
【請求項３】
集光防止手段は、フランジの表面が、光源からの光を乱反射させる粗面とされることにより、このフランジからの反射光が受光素子に集光することを防止するものであることを特徴とする請求項１記載の光ピックアップ装置。
【請求項４】
集光防止手段は、フランジの表面に、光源からの光を吸収する光吸収部を形成することにより、前記フランジからの反射光が受光素子に集光することを防止するものであることを特徴とする請求項１記載の光ピックアップ装置。
【請求項５】
ディスクからの反射光のうち、対物レンズ部の姿勢および位置の制御を行うために受光素子に入射することが必要な光量をｒ１とし、フランジからの反射光であって受光素子に入射する分の光量をｒ２としたときに、
ｒ２／ｒ１  ＜  ０．０５      （１）
であることを特徴とする請求項１から４までのいずれか１項記載の光ピックアップ装置。
【発明の詳細な説明】
【技術分野】
【０００１】
本発明は光ピックアップ装置に関し、特に、複数のレンズにより構成された対物レンズ部の姿勢および位置の制御誤差量であって、この対物レンズ部から直接反射した光により生じるおそれのある制御誤差量を減少させることが可能な機能を備えた光ピックアップ装置に関する。
【背景技術】
【０００２】
光ピックアップ装置は、光ディスク装置の基幹部品であり、高倍速化および記録容量の向上に伴う高密度・高品位記録化に関する開発が活発に行われている。最近は、パーソナルコンピュータの普及に伴い、これらパーソナルコンピュータに搭載される光ディスク装置の数が増加し、これにあわせて光ピックアップ装置の普及率も高くなっている。
【０００３】
従来の光ピックアップ装置の対物レンズ部は、１枚の対物レンズを備えたものが一般的であり、この対物レンズは、対物レンズ部を構成するケーシングにおける光ディスク側に設けられるのが通例である。すなわち、対物レンズ部における光源とは反対側に設けられ、光源側には設けられないのが通例である。
【０００４】
ところで、近年、ブルーレイディスクの開発が進められている。このブルーレイディスクのための光ピックアップ装置では、光学系が波長変動に敏感である。この波長変動を補正することを目的として、対物レンズ部に、従来からの対物レンズとは別に、回折構造を利用した色消し手段を設けることが検討されている（特許文献１）。色消し手段として、特許文献１に記載のような回折構造に代えて、色消しレンズを用いることも可能である。この場合に、対物レンズは上記のようにケーシングにおける光ディスク側に設けられるが、色消しレンズはケーシングにおける光源側に設けられることになる。
【０００５】
この色消しレンズをケーシングにおける光源側に設けた従来の光ピックアップ装置の概略図を図４に示す。すなわち、光記録情報媒体（光ディスク）に対し記録、再生を行う光ピックアップ装置として、図４に示した構成の装置がある。
【０００６】
この光ピックアップ装置は、光源１と、コリメートレンズ２と、対物レンズ部３と、ハーフミラー４と、受光素子５とを備えている。６は光ディスクである。対物レンズ部３は、対となる対物レンズａと色消しレンズｂとを備え、これらのレンズａ、ｂがケーシングｃに装着されている。ｄは、色消しレンズレンズｂの外周のフランジである。対物レンズａは、ケーシングｃにおける光ディスク側に配置されるとともに、この光ディスク側からケーシングｃに取り付けられている。色消しレンズｂは、ケーシングｃにおける光源側に配置されるとともに、この光源側からケーシングｃに取り付けられている。このため、フランジｄが光源側に露出した構成となっている。
【０００７】
このような構成において、光源１から出射した光１０はコリメートレンズ２を通過し対物レンズ部３によりディスク６に集光する。１１は、光１０の光軸である。光ディスク６からの反射光は、対物レンズ部３からコリメートレンズ２を経てハーフミラー４にて反射され、受光素子５に集光する。それによって、ディスク６内の情報を得る仕組みとなっている。
【０００８】
しかし、対となるレンズａ、ｂの内の色消しレンズｂのフランジｄにより反射した一部の光２１が、直接コリメートレンズ２を経てハーフミラー４により反射し、受光素子５に集光するおそれがある。この光２１は、本来ディスク６から反射し受光素子５へ戻ってきた光２０に対し迷光２１ｂとなる可能性がある。
【特許文献１】特開２００１−１６６１０３号公報
【発明の開示】
【発明が解決しようとする課題】
【０００９】
このような迷光２１ｂがある状態で対物レンズ部３の位置制御を行うと、対物レンズ部３の位置、姿勢により受光素子５へ戻る迷光２１ｂの状態も変化し、本来必要とされるディスク６からの戻り光２０に対しノイズ成分となり、対物レンズ部３の位置制御に誤差が発生することが懸念される。よって、迷光２１ｂを除去するための対策が必要である。
【００１０】
迷光２１ｂの対策のために、たとえばレンズｂを傾けると、コマ収差等が発生し、記録および再生品位の低下が懸念される。
本発明は、対物レンズ部３からの迷光２１ｂによる対物レンズ部３の姿勢および位置の制御の誤差を低減させるようにすることを目的とする。
【課題を解決するための手段】
【００１１】
この目的を達成するため本発明は、光源からの光をディスクに向けて収束させるための対物レンズ部と、前記ディスクで反射し対物レンズ部を通過した反射光を、前記対物レンズ部の姿勢および位置の制御のために受光する受光素子とを備え、前記対物レンズ部はディスク側の対物レンズと光源側の色消しレンズとを備え、前記色消しレンズは外周にフランジを備え、前記光源からの光がフランジに入射することにより生成される反射光が前記受光素子に集光することを防止する集光防止手段を備えたものである。
【００１２】
本発明によれば、集光防止手段は、フランジの表面が傾斜して形成されることにより、このフランジからの反射光が受光素子に集光することを防止するものであることが好適である。
【００１３】
また本発明によれば、集光防止手段は、フランジの表面が、光源からの光を乱反射させる粗面とされることにより、このフランジからの反射光が受光素子に集光することを防止するものであることが好適である。
【００１４】
また本発明によれば、集光防止手段は、フランジの表面に、光源からの光を吸収する光吸収部を形成することにより、前記フランジからの反射光が受光素子に集光することを防止するものであることが好適である。
【００１５】
さらに本発明によれば、ディスクからの反射光のうち、対物レンズ部の姿勢および位置の制御を行うために受光素子に入射することが必要な光量をｒ１とし、フランジからの反射光であって受光素子に入射する分の光量をｒ２としたときに、
ｒ２／ｒ１  ＜  ０．０５      （１）
であることが好適である。
【発明の効果】
【００１６】
本発明は、光源からの光が対物レンズ部における光源側の色消しレンズのフランジに入射することにより生成される反射光が、受光素子に集光することを防止するために、フランジに対策を施すなどしたものであり、これにより、フランジからの反射光が受光素子内へほぼ戻らないように構成し、この受光素子内へフランジからの反射光が大きな割合で戻ることによる迷光を防ぐことができ、したがって、ディスクから反射し受光素子へ戻ってきた光に対するフランジからの迷光の影響を低減させた光ピックアップ装置を提供することができる。
【００１７】
具体的には、ディスクからの反射光のうち、対物レンズ部の姿勢および位置の制御を行うために受光素子に入射することが必要な光量に対する、フランジからの反射光であって受光素子に入射する分の光量の割合を、５％未満とすることにより、フランジからの迷光による悪影響を確実に防止することができる。
【発明を実施するための最良の形態】
【００１８】
（実施の形態１）
以下に、本発明の実施の形態１について、図１を参照して説明する。
図１において、１は光源、２はコリメートレンズ、３は対物レンズ部、４はハーフミラー、５は受光素子、６は光ディスク、ａは対物レンズ、ｂは色消しレンズ、ｃはケーシング、１０は光源１からの光、１１はその光軸、２０はディスク６からの戻り光で、これらは図４に示したものと同様の構成である。なお、後述する図２および図３においても、同様の表記を用いる。
【００１９】
ｄは色消しレンズｂのフランジで、このフランジｄは、光１０の光軸１１に対して垂直な面から傾斜するように構成されている。
このような構成において、光源１から出射した光１０は、コリメートレンズ２を通過して対物レンズ部３によりディスク６に集光し、その反射光は、対物レンズ部３からコリメートレンズ２を経てハーフミラー４にて反射され受光素子５に集光し、それによってディスク６内の情報を得る仕組みとなっている。
【００２０】
このとき、上記のように、対物レンズ部３におけるコリメートレンズ２側の色消しレンズｂのフランジｄを、光軸１１に対して垂直な面から傾斜するように構成したため、コリメートレンズ２からの平行光がフランジｄにより反射されることで形成される反射光２１ａは、その後ハーフミラー４にてさらに反射するが、受光素子５内に入り込まないように傾けられる。これによって、受光素子５への迷光２１ａの入射を低減することが可能となる。
【００２１】
ディスク６からの反射光のうち、対物レンズ部３の姿勢および位置の制御を行うために受光素子５に入射することが必要な戻り光２０の光量をｒ１とし、フランジｄからの反射光であって受光素子５に入射する分の光量をｒ２としたときに、
ｒ２／ｒ１  ＜  ０．０５      （１）
であれば、すなわち、フランジｄからの反射光のうち受光素子５に入射する分の光量ｒ２が、対物レンズ部３の姿勢および位置の制御を行うために受光素子５に入射することが必要な戻り光２０の光量ｒ１の５％未満であれば、対物レンズ部３の姿勢および位置の制御のためのアクチュエータをコントロールするときに影響を及ぼさないようにすることができる。なお、式（１）の条件は、以下の実施の形態２、３においても同様に成立する。
【００２２】
（実施の形態２）
以下に、本発明の実施の形態２について、図２を参照して説明する。
図２に示すように、対物レンズ部３におけるコリメートレンズ２側の色消しレンズｂのフランジｄの表面は、入射光を乱反射させる粗面にて形成されている。他の構成は、図４に示したものと同じである。
【００２３】
このような構成において、光源１から出射した光１０は、コリメートレンズ２を通過し対物レンズ部３によりディスク６に集光し、その反射光は、対物レンズ部３からコリメートレンズ２を経てハーフミラー４にて反射され戻り光２０として受光素子５に集光し、それによってディスク６内の情報を得る仕組みとなっている。ここでは、対物レンズ部３におけるコリメートレンズ２側の色消しレンズｂのフランジｄの表面を、コリメートレンズ２からの平行光に対し乱反射するような粗面とすることで、フランジｄにて反射した乱反射光２１ｃが受光素子０５への迷光となることを防ぐことが可能である。
【００２４】
（実施の形態３）
以下に、本発明の実施の形態３について、図３を参照して説明する。
図３に示すように、対物レンズ部３におけるコリメートレンズ２側の色消しレンズｂのフランジｄの表面には光吸収部ｅが形成されている。この光吸収部ｅは、塗装や、薄膜の積層などによって形成されており、光源１から出射される波長の光をほぼ１００％吸収する特性を持っている。
【００２５】
このような構成において、光源１から出射した光１０は、コリメートレンズ２を通過し対物レンズ部３によりディスク６に集光し、その反射光は対物レンズ部３からコリメートレンズ２を経てハーフミラー４にて反射され戻り光２０として受光素子５に集光し、それによってディスク６内の情報を得る仕組みとなっている。ここでは、対物レンズ部３におけるコリメートレンズ２側の色消しレンズｂのフランジｄに、光源１から出射される波長の光１０をほぼ１００％吸収する特性を持った光吸収部ｅを形成したことで、コリメートレンズ２からの平行光がフランジｄにて反射することを防止可能であり、これによって受光素子５への迷光を軽減することが可能となる。
【産業上の利用可能性】
【００２６】
本発明の光ピックアップ装置は、光源からの光が対物レンズ部における光源側の色消しレンズのフランジに入射することにより生成される反射光が受光素子に集光することを防止するために、フランジに対策を施すなどしたものであり、これにより、フランジからの反射光が受光素子内へほぼ戻らないように構成して、この受光素子内へフランジからの反射光が大きな割合で戻ることによる迷光を防ぐことができ、したがって、ディスクから反射し受光素子へ戻ってきた光に対するフランジからの迷光の影響を低減させた光ピックアップ装置を提供することができるものであって、複数のレンズにより構成された対物レンズ部の姿勢および位置の制御誤差量であって、この対物レンズ部から直接反射した光により生じるおそれのある制御誤差量を減少させることが可能な機能を備えた光ピックアップ装置として有用である。
【図面の簡単な説明】
【００２７】
【図１】本発明の実施の形態１の光ピックアップ装置の概略構成図
【図２】本発明の実施の形態２の光ピックアップ装置の概略構成図
【図３】本発明の実施の形態３の光ピックアップ装置の概略構成図
【図４】従来の光ピックアップ装置の概略構成図
【符号の説明】
【００２８】
１    光源
３    対物レンズ部
５    受光素子
６    光ディスク
ａ    対物レンズ
ｂ    色消しレンズ
ｄ    フランジ
１０    光源からの光
２０    戻り光
【図１】
2007335036.tif 000003
【図２】
2007335036.tif 000004
【図３】
2007335036.tif 000005
【図４】
2007335036.tif 000006